(57)【要約】  本発明は１つ以上の標準ＲＦコネクタを有するＲＦチューナモジュールに関する。比較的大きなＲＦコネクタが広く使用されているが同時に製品をより小さくするよう迫られているため、ＲＦチューナモジュール設計はサイズが制約される。本発明は、ＲＦコネクタをＲＦチューナモジュールに適切に取り付けるためＲＦチューナのシールド側部の１つを延ばすことにより、標準ＲＦコネクタを有するＲＦチューナモジュールを小さくする手段について述べる。
2007535109.tif 000002
【特許請求の範囲】
【請求項１】
シールド体と、
前記シールド体と共にＲＦチューナケースを形成するシールド体側壁と、
ＲＦコネクタと、
を備え、
前記シールド体は１つ又はそれ以上の信号ピンが延びる１つ以上の穴を含む底部を有し、前記ＲＦコネクタの直径は前記シールド体の高さより大きく、前記ＲＦコネクタを前記シールド体側壁に取り付けるための十分な領域を与えるために、前記シールド体側壁は少なくとも一部が前記シールド体の底部側及び上部側の少なくとも一方を越えて延びていることを特徴とするＲＦチューナ。
【請求項２】
前記ＲＦコネクタは標準ＩＥＣコネクタ又は標準Ｆコネクタのいずれかを有することを特徴とする請求項１記載のＲＦチューナ。
【請求項３】
前記シールド体の高さは１１ｍｍ未満であることを特徴とする請求項２記載のＲＦチューナ。
【請求項４】
前記シールド体及び前記シールド体側壁の少なくとも一部は１つの金属塊から形成されることを特徴とする請求項１記載のＲＦチューナ。
【請求項５】
プリント回路基板と、
請求項１記載のＲＦチューナと、
を備え、
シールド体側壁は少なくとも一部がシールド体の底部を越えて延びており、ＲＦコネクタが前記プリント回路基板の端を越えて延びるように前記ＲＦチューナが前記プリント回路基板に搭載されていることを特徴とするシャーシＰＣＢ。
【請求項６】
前記ＲＦコネクタは標準ＩＥＣコネクタ又は標準Ｆコネクタのいずれかを有することを特徴とする請求項５記載のシャーシＰＣＢ。
【請求項７】
前記シールド体の高さは１２ｍｍ未満であることを特徴とする請求項６記載のシャーシＰＣＢ。
【請求項８】
前記シールド体及び前記シールド体側壁の少なくとも一部は１つの金属塊から形成されることを特徴とする請求項５記載のシャーシＰＣＢ。
【請求項９】
請求項５記載のシャーシＰＣＢを有し、より薄型の設計ができる装置。
【請求項１０】
ＬＣＤテレビ、セットトップボックス、ケーブルモデム、家電機器、ＵＳＢチューナボックス及びマルチメディア付ＰＣのいずれか１つを有する請求項９記載の装置。
【発明の詳細な説明】
【発明の詳細な説明】
【０００１】
［発明の技術分野］
本発明は標準ＲＦコネクタを有する高さを低減したチューナモジュールにも関する。
【０００２】
さらに本発明は標準ＲＦコネクタを有する高さを低減したチューナモジュールを備える装置に関する。
【０００３】
本発明は特に、スペースの制限がモジュール及び部品メーカにさらに小さく、その一方で外部と標準接続でインタフェースできるような製品の開発を強いている家庭用電化製品及びＰＣ製品に関連する。このような製品には、ＬＣＤテレビ、フラットＳＴＢ、ケーブルモデム、マルチメディア付ＰＣ及び例えばオーディオ、ビデオ及び／又はデータ受信機能を有する電子機器が含まれる。
【０００４】
［発明の背景］
例えばＬＣＤテレビ、セットトップボックス及びケーブルモデムなどの家電の分野では、スリムデザイン及びより小さな部品への移行が必要とされる。これはより小さな（薄型の）ＲＦ（無線周波数）チューナモジュールの要求を含む。しかし、（一般にＲＦチューナモジュールの一部として見られる）ＩＥＣやＦ型のコネクタのような標準ＲＦコネクタの使用の要求が薄型ＲＦチューナモジュールの設計を制限する。
【０００５】
厚型の従来技術のＲＦチューナモジュールは一般に内部電子回路を収容する金属打抜きフレームを有する。それはシールド目的で上部と下部にフレームを閉じる金属カバーを有する。モジュールは１つ又はそれ以上の標準ＲＦコネクタ、Ｉ／Ｏ（入力／出力）ピン及びフレーム搭載タグ、を有してもよい。このようなモジュールは例えば整合用フットプリントを含むシャーシＰＣＢに、例えばその信号ピンを差し込み、タグをマウントすることで、適用される。ＲＦ信号は、端部に整合ＲＦコネクタを有するＲＦ同軸ケーブルを介して、チューナモジュールへ与えられる。
【０００６】
薄型設計の別の従来技術のＲＦチューナモジュールは標準ＲＦコネクタを持たない。ＲＦ入力は代わりにそのカバーを通る１つ又はそれ以上の信号ピンを介してモジュールへ与えられる。このようなモジュールも例えば整合用フットプリントを含むシャーシＰＣＢに、例えばその信号ピン（ＲＦ入力信号ピンを含む）を差し込み、タグをマウントすることで、適用され得る。ＲＦ入力ピンはシャーシＰＣＢ上の銅線を介して分離ＲＦコネクタへ接続される。これは銅線接続による信号障害によりチューナモジュールに入力されるＲＦ信号に影響を与え、ピンコネクタを介した入力インピーダンスのマッチングを悪化させ、ＲＦチューナモジュールの性能を悪くする。
【０００７】
［発明の概要］
従って、本発明は標準ＲＦ入力コネクタを有するチューナモジュールを提供することを目的とする。
【０００８】
本発明の別の目的は信号品位を落とすことなく標準ＲＦ入力コネクタを有する高さを低減したチューナモジュールを提供することである。
【０００９】
本発明のさらに別の目的は標準ＲＦ入力コネクタを含む高さを低減したチューナモジュールを有し全体的薄型設計となるシャーシＰＣＢ（例えば部品を加えたＰＣＢ）を提供することである。
【００１０】
本発明のさらに別の目的は標準ＲＦ入力コネクタを含む高さを低減したチューナモジュールを有し全体的薄型設計となる装置又は家庭用電化製品を提供することである。
【００１１】
一実施形態では、比較的大きな標準ＲＦコネクタのＲＦチューナモジュールへの適切な取り付けを容易にするためにＲＦチューナのシールド面の１つが延長される。
【００１２】
別の実施形態では、ＲＦコネクタがシャーシＰＣＢの端部を越えて延びるようにシャーシＰＣＢがシャーシＰＣＢ上に搭載された上記実施形態のＲＦチューナを有する。これにより全体に薄型のＰＣＢ設計になる。
【００１３】
さらに別の実施形態では、装置はＲＦコネクタがシャーシＰＣＢの端部を越えて延びるように第１の実施形態のＲＦチューナが搭載されたシャーシＰＣＢを有する。これにより全体に薄型の装置設計になる。
【００１４】
本発明のこれらの態様及び他の態様は下記の実施形態から明らかになり、下記の実施形態を参照して説明する。
【００１５】
［発明の詳細な説明］
本発明は、一例として、添付の図面を参照してより詳細に説明されるだろう。
【００１６】
図面では同じ参照番号は同じ要素、又は実質的に同じ機能をする要素を参照する。
【００１７】
図１ａは第１の従来技術のＲＦチューナモジュール１００を示す。モジュール１００はシールド体１０２、シールド体側壁１０８、ＲＦコネクタ１０４及び信号ピン１０６を有する。コネクタ１０４は適切に取り付けるためにシールド体側壁１０８に十分な表面が必要であるため、ＲＦチューナモジュールの高さｈ１Ａ（上部と下部のカバーを含めたチューナモジュールの厚さ）はＲＦコネクタ１０４のサイズｈ１に制約される。
【００１８】
図１ｂは第１の従来技術のＲＦチューナモジュール１００を有する第１のシャーシＰＣＢ（プリント回路基板）１５０の側面図を示す。モジュール１５０はＰＣＢ１３０も有し、モジュール１００の信号ピン１０６はＰＣＢ１３０にはんだ付けされる。図１ｂはＲＦケーブル及びコネクタ１２０も示す。第１のシャーシＰＣＢの高さｈ１Ｂは少なくともＲＦコネクタ１２０の高さ及びＰＣＢ１３０の厚さを有する。
【００１９】
図２ａは第２の従来技術のＲＦチューナモジュール２００を示す。ＲＦチューナモジュール２００はシールド体２０２、ＲＦ信号ピン２０４、信号ピン２０６及び接地リップ２１０を有する。信号ピン２０６は穴を介してシールド体２０２から露出される。モジュール２００はモジュール１００のようなＲＦコネクタを備えないため、ＲＦチューナモジュールの高さｈ２ＡはＲＦチューナモジュール高さｈ１Ａより低くできる。
【００２０】
図２ｂは第２の従来技術のＲＦチューナモジュール２００を有する第２のシャーシＰＣＢ２５０の側面図を示す。第２のシャーシＰＣＢ２５０はＰＣＢ２３０、ＲＦ信号線２３２及びＲＦコネクタ２３４も有する。第２のシャーシＰＣＢの高さｈ２Ｂは少なくともＲＦコネクタ２３４の高さ及びＰＣＢ２３０の厚さを有する。そのため、ＲＦチューナモジュール高さｈ１ＡよりＲＦチューナモジュール高さｈ２Ａが低くできるが、シャーシＰＣＢの全体の高さはｈ２Ｂに制約されるままである。第２のシャーシＰＣＢ２５０の別の不利点はＲＦ信号線がシールドされておらず、受信したＲＦ信号の劣化を引き起こす。
【００２１】
図３ａは本発明によるＲＦチューナモジュール３００の側面図を示す。ＲＦチューナモジュール３００はシールド体３０２、シールド体側壁３０８、ＲＦコネクタ３０４及び信号ピン３０６を有する。シールド体側壁３０８は下方へ延ばされ、それによりＲＦコネクタ３０４が適切に取り付けられる十分な表面が与えられるため、ＲＦチューナモジュール高さｈ３Ａ（上部と下部のカバーを含めたチューナモジュールの厚さであるが、ＲＦコネクタは測定しない）はＲＦコネクタ３０４のサイズｈ３Ｂに制約されない。ＲＦコネクタ３０４は“Ｆコネクタ”（一般的に米国のテレビやラジオ受信機の背面にみられるケーブル及び／又はアンテナとの接続用）や“ＩＥＣコネクタ”（ＩＥＣ１６９−２；一般的にヨーロッパのテレビやラジオ受信機の背面にみられるケーブル及び／又はアンテナとの接続用）のような標準型や他の、例えば新型の、コネクタにすることができる。
【００２２】
図３ｂは本発明によるＲＦチューナモジュール３００を有する第３のシャーシＰＣＢ３５０の側面図を示す。
【００２３】
シールド体３０２及びシールド体側壁３０８は金属の一体成形から作ることができる。シールド体３０２は高さを低くして型打ちできる。シールド体側壁３０８を形成するためにシールド体の一端に１つ又はそれ以上のＲＦコネクタ３０４のための設備を作ることができる。これにより、シールド体の端部（シールド体側壁３０８）は残りのシールド体より高さが大きくなる。言い換えるとこれはＲＦコネクタ３０４の固定に十分な領域を与える。ＲＦチューナモジュール３００は、シールド体側壁３０８が（ＲＦコネクタ３０４と共に）ＰＣＢ３３０の端を越えて、ＰＣＢ３３０に搭載できる。
【００２４】
第３のシャーシＰＣＢの高さｈ４ＡはＲＦチューナモジュールの高さｈ３ＡとＰＣＢ３３０の厚さを足したものである。そのため、シャーシＰＣＢ３５０の全体の高さは従来技術のシャーシＰＣＢ１５０と比較してｈ４Ｂだけ低減される。
【００２５】
第３のシャーシＰＣＢ３５０はＲＦ信号を外部に露出させないので、従来技術のシャーシＰＣＢ２５０と比較して信号品位が極めて良くなる。
【００２６】
図３ｃは本発明によるＲＦチューナモジュール３９０を有する第４のシャーシＰＣＢ３８０の別の側面図を示す。ＲＦチューナモジュール３９０は２つのＲＦコネクタ３０４及びシールド体側壁３０８を有する。ＲＦコネクタ３０４の十分な固定領域を与えるためにシールド体側壁３０８がＲＦコネクタ３０４の位置で下方へ延ばされていることが明瞭に示されている。第４のシャーシＰＣＢ３８０はＲＦコネクタ３０４がシャーシＰＣＢ３８０の端を越えて延びるようにＰＣＢ３３０上に搭載されたＲＦチューナモジュール３９０を有する。
【００２７】
当業者はシャーシＰＣＢの端を越えてのＲＦコネクタの延長が異なる形状をとることができることを認識する。例えば、ＰＣＢはカットアウト領域を有する。ＲＦコネクタをＰＣＢへ下げられるように、この領域は十分大きくすべきである。そのため、本発明のチューナの利用はシャーシＰＣＢが全体により薄い又は細い設計にさせることができる。
【００２８】
図４はフラットＬＣＤテレビを有する装置４００を示す。装置４００は本発明によるＲＦチューナモジュール４６０（図４にはモジュール４６０のＲＦコネクタのみ示される）、フラットスピーカ４７２、ＬＣＤスクリーン４７０及びＲＦチューナモジュール４６０に接続されるＲＦケーブル４２０を有する。本発明による縮小ＲＦチューナモジュールの利用により、装置の厚さＴは削減される。これは市場が求めるスタイリッシュなデザインをもたらす。
【００２９】
ＬＣＤテレビは例であると考えられる。装置４００は本発明において先に述べたような幅広い種類の製品の形状をとることができ、そのため装置４００はＬＣＤテレビの例に限定されないことを読者はわかるであろう。このような装置の他の例にはセットトップボックス、ケーブルモデム、マルチメディア付ＰＣ、例えばオーディオ、ビデオ及び／又はデータ受信機能を有する電子機器及びＵＳＢテレビが含まれる。
【００３０】
通常の当業者は上述したＲＦチューナモジュール及び／又はシャーシＰＣＢに少し手を加えることで代替案が考え出されることが分かるであろう。
【００３１】
前述したものは単に本発明の原理を示している。そのため当業者は、ここではっきり述べられたり示されたりしていが、本発明の原理を具体化し、本発明の精神と範囲に含まれる色々な代替物を考え出すことができることが理解されるであろう。
【図面の簡単な説明】
【００３２】
【図１ａ】第１の従来技術のＲＦチューナモジュールを示す図である。
【図１ｂ】第１の従来技術のＲＦチューナモジュールを有する第１のシャーシＰＣＢの側面図である。
【図２ａ】第２の従来技術のＲＦチューナモジュールを示す図である。
【図２ｂ】第２の従来技術のＲＦチューナモジュールを有する第２のシャーシＰＣＢの側面図である。
【図３ａ】本発明によるＲＦチューナモジュールの側面図である。
【図３ｂ】本発明によるＲＦチューナモジュールを有する第３のシャーシＰＣＢの側面図である。
【図３ｃ】本発明によるＲＦチューナモジュールを有する第３のシャーシＰＣＢの別の側面図である。
【図４】本発明によるＲＦチューナモジュールを有する装置を示す図である。
【図１Ａ】
2007535109.tif 000003
【図１Ｂ】
2007535109.tif 000004
【図２Ａ】
2007535109.tif 000005
【図２Ｂ】
2007535109.tif 000006
【図３Ａ】
2007535109.tif 000007
【図３Ｂ】
2007535109.tif 000008
【図３Ｃ】
2007535109.tif 000009
【図４】
2007535109.tif 000010
【国際調査報告】
2007535109.tif 000011
2007535109.tif 000012